(57)【要約】【課題】簡易かつ低コストな構成により、複数の放送の映像から所望の映像を容易に選択できる放送受信装置、電子機器、放送受信方法、および、プログラムを提供する。【解決手段】それぞれ独立して放送信号を受信する主チューナ部１２および複数の低品質な副チューナ部３１−１〜Ｎとを備えた放送受信装置１は、副チューナ部３１−１〜Ｎのそれぞれが受信する放送の映像を表示画面に並べて表示し、並べて表示された映像のいずれかが選択されると、選択された映像に対応する放送を主チューナ部１２によって受信し、この受信が完了した後に、主チューナ部１２が受信する放送の映像を、副チューナ部３１−１〜Ｎが受信する放送の映像より大きな映像として表示させる。【選択図】図１
2008182403.tif 000002
【特許請求の範囲】
【請求項１】
それぞれ独立して放送を受信する第１チューナ部および前記第１チューナ部より低品質の複数の第２チューナ部と、
複数の前記第２チューナ部のそれぞれが受信する放送の映像を、表示画面に並べて表示させる表示制御手段と、
前記表示画面に並べて表示された映像のいずれかを選択させる選択手段と、
前記選択手段によって選択された映像に対応する放送を前記第１チューナ部により受信させるチューナ制御手段と、を備え、
前記表示制御手段は、前記第１チューナ部が前記選択手段によって選択された映像に対応する放送の受信を完了した後に、前記第１チューナ部が受信する放送の映像を前記表示画面において、複数の前記第２チューナ部のそれぞれが受信する放送の映像より大きな映像として表示させること、
を特徴とする放送受信装置。
【請求項２】
前記表示制御手段は、前記選択手段によっていずれかの映像が選択されてから前記第１チューナ部が前記選択手段によって選択された映像に対応する放送の受信を完了するまでの間、前記選択手段により選択された、前記第２チューナ部が受信する放送の映像を拡大して表示させ、前記第１チューナ部が前記選択手段によって選択された映像に対応する放送の受信を完了した後に、前記表示画面の映像を前記第２チューナ部が受信する放送の映像から前記第１チューナ部が受信する放送の映像に切り替えること、
を特徴とする請求項１記載の放送受信装置。
【請求項３】
前記表示制御手段は、前記選択手段によっていずれかの映像が選択されるまでの間、前記表示画面に、複数の前記第２チューナ部のそれぞれが受信する放送の映像を並べて表示するとともに前記第１チューナ部が受信する放送の映像を表示させないこと、
を特徴とする請求項１または２記載の放送受信装置。
【請求項４】
前記表示制御手段は、前記選択手段によっていずれかの映像が選択されるまでの間、前記表示画面に、複数の前記第２チューナ部のそれぞれが受信する放送の映像と前記第１チューナ部が受信する放送の映像とが並ぶ画面を表示させること、
を特徴とする請求項１または２記載の放送受信装置。
【請求項５】
前記表示制御手段は、前記選択手段によっていずれかの映像が選択されてから前記第１チューナ部が前記選択手段によって選択された映像に対応する放送の受信を完了するまでの間、前記選択手段により選択された映像を前記表示画面の表示可能領域のほぼ全域に拡大表示させ、前記第１チューナ部が前記選択手段によって選択された映像に対応する放送の受信を完了した後に、前記表示画面の表示可能領域のほぼ全域に前記第１チューナ部が受信する放送の映像を表示させること、
を特徴とする請求項１から４のいずれかに記載の放送受信装置。
【請求項６】
前記第１チューナ部で受信された放送の映像を生成する第１映像生成手段と、
複数の前記第２チューナ部のそれぞれによって受信された放送の映像を生成する複数の第２映像生成手段と、
前記第１映像生成手段および前記第２映像生成手段により生成された映像を組み合わせることによって前記表示画面に表示する映像を生成する第３映像生成手段と、を備え、
前記表示制御手段は、前記第３映像生成手段における映像の組み合わせを制御することによって前記表示画面における表示を制御すること、
を特徴とする請求項１から５のいずれかに記載の放送受信装置。
【請求項７】
前記第１チューナ部は地上デジタルテレビジョン放送の放送を受信するものであり、前記第２チューナ部は、地上デジタルテレビジョン放送における１セグメント部分受信サービスに対応した放送を受信するものであること、
を特徴とする請求項１から６のいずれかに記載の放送受信装置。
【請求項８】
請求項１から７のいずれかに記載の放送受信装置を備えたことを特徴とする電子機器。
【請求項９】
それぞれ独立して放送を受信する第１チューナ部および前記第１チューナ部より低品質の複数の第２チューナ部とを備えた放送受信装置を制御して、
複数の前記第２チューナ部のそれぞれが受信する放送の映像を、表示画面に並べて表示させる表示段階と、
前記表示画面に並べて表示された映像のいずれかを選択させる選択段階と、
前記前記選択手段によって選択された映像に対応する放送を前記第１チューナ部により受信させるチューナ制御段階と、を実行し、
前記選択手段によって選択された映像に対応する放送の受信を完了した後に、前記第１チューナ部が受信する放送の映像を、前記表示画面において、複数の前記第２チューナ部のそれぞれが受信する放送の映像より大きな映像として表示させること、
を特徴とする放送受信方法。
【請求項１０】
それぞれ独立して放送を受信する第１チューナ部および前記第１チューナ部より低品質の複数の第２チューナ部とを備えたコンピュータを、
複数の前記第２チューナ部のそれぞれが受信する放送の映像を、表示画面に並べて表示させる表示制御手段と、
前記表示画面に並べて表示された映像のいずれかを選択させる選択手段と、
前記前記選択手段によって選択された前記映像に対応する放送を前記第１チューナ部により受信させるチューナ制御手段と、して機能させるとともに、
前記表示制御手段としての機能により、前記選択手段によって選択された映像に対応する放送の受信を完了した後に、前記第１チューナ部が受信する放送の映像を前記表示画面において、複数の前記第２チューナ部のそれぞれが受信する放送の前記映像より大きな映像として表示させること、
を特徴とするプログラム。
【発明の詳細な説明】
【技術分野】
【０００１】
本発明は、放送を受信する放送受信装置、この放送受信装置を備えた電子機器、放送受信方法、および、プログラムに関する。
【背景技術】
【０００２】
従来、テレビ放送を受信する装置において、複数のチャンネルの放送内容を見ながら選局をしたいというニーズに応え、複数のチャンネルの映像を一覧表示するものが知られている。このような装置では、例えばチューナ部によって複数チャンネルの放送を一定時間毎に順次受信して静止画像を生成し、この静止画像を画面上に表示する装置があった（例えば、特許文献１参照）。この装置によれば、少数のチューナ部を用いて複数のチャンネルの画像を表示することができ、ユーザは、一定時間毎に更新される各チャンネルの静止画像を見て、放送内容の概略を知ることができる。
【０００３】
【特許文献１】特開平９−１４０００７号公報
【発明の開示】
【発明が解決しようとする課題】
【０００４】
上記従来の装置が表示する各チャンネルの画像は静止画像であり、ユーザの利便性に鑑みれば、放送の内容を十分に把握するために放送中の映像（動画像）をリアルタイムで表示することが望まれる。しかしながら、一台の装置に同じ品質のチューナ部を多数搭載することは、多数のチューナ部を搭載するための大きなスペースが必要になるという実装上の問題や、コスト的な問題から、非常に困難であった。
そこで本発明は、簡易かつ低コストな構成により、複数の放送の映像から所望の映像を容易に選択できる放送受信装置、電子機器、放送受信方法、および、プログラムを提供することを目的とする。
【課題を解決するための手段】
【０００５】
〔形態１〕  上記課題を解決するため、形態１の放送受信装置は、それぞれ独立して放送を受信する第１チューナ部および前記第１チューナ部より低品質の複数の第２チューナ部と、複数の前記第２チューナ部のそれぞれが受信する放送の映像を、表示画面に並べて表示させる表示制御手段と、前記表示画面に並べて表示された映像のいずれかを選択させる選択手段と、前記選択手段によって選択された映像に対応する放送を前記第１チューナ部により受信させるチューナ制御手段と、を備え、前記表示制御手段は、前記第１チューナ部が前記選択手段によって選択された映像に対応する放送の受信を完了した後に、前記第１チューナ部が受信する放送の映像を、前記表示画面において、複数の前記第２チューナ部のそれぞれが受信する放送の映像より大きな映像として表示させること、を特徴とする。
この構成によれば、それぞれ独立して放送信号を受信する第１チューナ部および複数の第２チューナ部を備えた放送受信装置が、複数の第２チューナ部のそれぞれが受信する放送の映像を並べて表示した状態で、いずれかの映像が選択されると、選択された映像に対応する放送を第１チューナ部が受信し、この受信を完了した後に、第１チューナ部が受信する放送の映像が、第２チューナ部のそれぞれが受信する放送の映像より大きな映像として表示される。これにより、表示画面に並ぶ複数の映像からユーザが所望の映像を選択すると、選択した映像の放送が第１チューナ部によって受信されて大きく表示されるので、ユーザは、複数の放送の映像を並べて見ながら所望の映像を選ぶことができる。例えば、複数の第２チューナ部がそれぞれ異なるチャンネルの放送を受信する場合には、表示画面に複数のチャンネルの映像が並べて表示されるので、ユーザは、所望のチャンネルを容易に選局できる。また、ユーザによって映像が選択された後に第１チューナ部が選択された映像と同じ放送を受信するので、ユーザが注視して視聴するのは第１チューナ部が受信する放送である。つまり、第２チューナ部の用途は選局用の映像の表示に限られ、高品位の画質を要求されないので、例えば簡易型の小型チューナなど低品質のものであっても何ら問題はなく、低コストで容易に実現できるという利点がある。
【０００６】
〔形態２〕  形態２の放送受信装置は、形態１の放送受信装置において、前記表示制御手段は、前記選択手段によっていずれかの映像が選択されてから前記第１チューナ部が前記選択手段によって選択された映像に対応する放送の受信を完了するまでの間、前記選択手段により選択された、前記第２チューナ部が受信する放送の映像を拡大して表示させ、前記第１チューナ部が前記選択手段によって選択された映像に対応する放送の受信を完了した後に、前記表示画面の映像を前記第２チューナ部が受信する放送の映像から前記第１チューナ部が受信する放送の映像に切り替えること、を特徴とする。
この場合、映像が選択されてから第１チューナ部が放送の受信を完了するまでの間は選択された映像が拡大表示され、第１チューナ部の放送の受信が完了した後に、拡大表示された映像が、第１チューナ部が受信する放送の映像に切り替えて表示される。
つまり、選択された映像に対応する放送を第１チューナ部が受信するための動作が完了するまでの間は、第２チューナ部が受信する放送の映像を拡大表示する。このため、第１チューナ部が放送の受信を完了するまでに時間がかかる場合であっても、表示画面には選択された映像が速やかに表示されるので、第１チューナ部が受信を行っている間の映像の欠落や乱れを生じない上、ユーザを待たせることがない。さらに、第２チューナ部の映像を拡大表示するのは第１チューナ部が受信を完了するまでの短い時間であるから、第２チューナ部が低品質のものであってもユーザに不快感を抱かせることがない。
【０００７】
〔形態３〕  形態３の放送受信装置は、形態１または２の放送受信装置において、前記表示制御手段は、前記選択手段によっていずれかの映像が選択されるまでの間、前記表示画面に、複数の前記第２チューナ部のそれぞれが受信する放送の映像を並べて表示するとともに前記第１チューナ部が受信する放送の映像を表示させないこと、を特徴とする。
この場合、ユーザは、第２チューナ部が受信する放送の映像が並んだ表示画面を見ながら、容易に映像を選択できる。また、映像が選択されるまでの間は第１チューナ部が受信する放送の映像を表示しないことにすれば、限られた表示領域を、ユーザが所望の映像を選択するために最大限に有効活用できるという利点がある。
【０００８】
〔形態４〕  形態４の放送受信装置は、形態１または２の放送受信装置において、前記表示制御手段は、前記選択手段によっていずれかの映像が選択されるまでの間、前記表示画面に、複数の前記第２チューナ部のそれぞれが受信する放送の映像と前記第１チューナ部が受信する放送の映像とが並ぶ画面を表示させること、を特徴とする。
この場合、いずれかの映像が選択されるまでの間、複数の第２チューナ部のそれぞれが受信する放送の映像と第１チューナ部が受信する放送の映像とが並べて表示されるので、ユーザは、第１チューナ部が受信する放送の映像と第２チューナ部が受信する放送の映像とが並んだ表示画面を見ながら、容易に所望の映像を選択でき、一つの映像を選択した後も他の映像を見ながら続けて映像の選択を行える。
【０００９】
〔形態５〕  形態５の放送受信装置は、形態１から４のいずれかの放送受信装置において、前記表示制御手段は、前記選択手段によっていずれかの映像が選択されてから前記第１チューナ部が前記選択手段によって選択された映像に対応する放送の受信を完了するまでの間、前記選択手段により選択された映像を前記表示画面の表示可能領域のほぼ全域に拡大表示させ、前記第１チューナ部が前記選択手段によって選択された映像に対応する放送の受信を完了した後に、前記表示画面の表示可能領域のほぼ全域に前記第１チューナ部が受信する放送の映像を表示させること、を特徴とする。
この場合、ユーザが映像を選択すると、選択された映像が表示画面の表示可能領域のほぼ全域に拡大表示され、第１チューナ部が受信を完了した後に、第１チューナ部が受信する放送の映像が表示可能領域のほぼ全域に表示されるので、選択された映像が速やかに全画面に表示される。これにより、第１チューナ部が放送の受信を完了するまでに時間がかかる場合であっても、映像の欠落や乱れを生じることがなく、ユーザを待たせない。
【００１０】
〔形態６〕  形態６の放送受信装置は、形態１から５のいずれかの放送受信装置において、前記第１チューナ部で受信された放送の映像を生成する第１映像生成手段と、複数の前記第２チューナ部のそれぞれによって受信された放送の映像を生成する複数の第２映像生成手段と、前記第１映像生成手段および前記第２映像生成手段により生成された映像を組み合わせることによって前記表示画面に表示する映像を生成する第３映像生成手段と、を備え、前記表示制御手段は、前記第３映像生成手段における映像の組み合わせを制御することによって前記表示画面における表示を制御すること、を特徴とする。
この場合、第１および第２映像生成手段によって第１チューナ部および第２チューナ部が受信する放送の映像をそれぞれ生成し、これらの映像の組み合わせを第３映像生成手段によって変更することで、表示画面における表示形態を変更するので、表示形態を変更する際にチューナ部の受信動作に要する時間の影響等を受けない。これにより、表示画面における表示形態を速やかに変更できる。
【００１１】
〔形態７〕  形態７の放送受信装置は、形態１から６のいずれかの放送受信装置において、前記第１チューナ部は地上デジタルテレビジョン放送の放送を受信するものであり、前記第２チューナ部は、地上デジタルテレビジョン放送における１セグメント部分受信サービスに対応した放送を受信するものであること、を特徴とする。
この場合、地上デジタルテレビジョン放送を受信する際に形態１から６の放送受信装置の効果が得られるので、指定された放送の受信を完了するまでに時間がかかるというデジタルテレビジョン放送受信時に特徴的な現象による影響を排することができ、ユーザは、地上デジタルテレビジョン放送の選局を容易に行い、快適に視聴できる。
さらに、第２チューナ部として１セグメント部分受信サービスに対応した小型・省電力のチューナを用いることで、複数の第２チューナ部を実装するためのスペースを容易に確保できる等の実装面、および、コスト面で有利である。加えて、第１チューナ部および第２チューナ部が地上デジタルテレビジョン放送に対応することで、例えば、アナログテレビジョン放送には無い電子番組表（Electronic Program Guide）を利用して、受信中の放送の映像とともに受信中の放送番組の名称やジャンル名等の情報を表示可能となり、より一層の利便性の向上を図ることができる。
【００１２】
〔形態８〕  形態８の電子機器は、形態１から７のいずれかの放送受信装置を備えたことを特徴とする。
この電子機器によれば、形態１から７の放送受信装置と同等の効果が得られる。
【００１３】
〔形態９〕  上記課題を解決するため、形態９の放送受信方法は、それぞれ独立して放送を受信する第１チューナ部および前記第１チューナ部より低品質の複数の第２チューナ部とを備えた放送受信装置を制御して、複数の前記第２チューナ部のそれぞれが受信する放送の映像を、表示画面に並べて表示させる表示段階と、前記表示画面に並べて表示された映像のいずれかを選択させる選択段階と、前記前記選択手段によって選択された映像に対応する放送を前記第１チューナ部により受信させるチューナ制御段階と、を実行し、前記選択手段によって選択された映像に対応する放送の受信を完了した後に、前記第１チューナ部が受信する放送の映像を、前記表示画面において、複数の前記第２チューナ部のそれぞれが受信する放送の映像より大きな映像として表示させること、を特徴とする。
この放送受信方法によれば、形態１の放送受信装置と同等の効果が得られる。
【００１４】
〔形態１０〕  上記課題を解決するため、形態１０のプログラムは、それぞれ独立して放送を受信する第１チューナ部および前記第１チューナ部より低品質の複数の第２チューナ部とを備えたコンピュータを、複数の前記第２チューナ部のそれぞれが受信する放送の映像を、表示画面に並べて表示させる表示制御手段と、前記表示画面に並べて表示された映像のいずれかを選択させる選択手段と、前記前記選択手段によって選択された前記映像に対応する放送を前記第１チューナ部により受信させるチューナ制御手段と、して機能させるとともに、前記表示制御手段としての機能により、前記選択手段によって選択された映像に対応する放送の受信を完了した後に、前記第１チューナ部が受信する放送の映像を前記表示画面において、複数の前記第２チューナ部のそれぞれが受信する放送の前記映像より大きな映像として表示させること、を特徴とする。
このプログラムによれば、コンピュータによってプログラムが読み取られ、読み取られたプログラムにしたがってコンピュータが処理を実行すると、形態１の放送受信装置と同等の作用および効果が得られる。
【００１５】
〔形態１１〕  上記課題を解決するため、形態１１の記録媒体は、それぞれ独立して放送を受信する第１チューナ部および前記第１チューナ部より低品質の複数の第２チューナ部とを備えたコンピュータを、複数の前記第２チューナ部のそれぞれが受信する放送の映像を、表示画面に並べて表示させる表示制御手段と、前記表示画面に並べて表示された映像のいずれかを選択させる選択手段と、前記前記選択手段によって選択された前記映像に対応する放送を前記第１チューナ部により受信させるチューナ制御手段と、して機能させるとともに、前記表示制御手段としての機能により、前記選択手段によって選択された映像に対応する放送の受信を完了した後に、前記第１チューナ部が受信する放送の映像を前記表示画面において、複数の前記第２チューナ部のそれぞれが受信する放送の前記映像より大きな映像として表示させること、を特徴とするプログラムを、コンピュータ読取可能に記録した記録媒体である。
この記録媒体によれば、コンピュータによってプログラムが記録媒体から読み取られ、読み取られたプログラムにしたがってコンピュータが処理を実行すると、形態１の放送受信装置と同等の作用および効果が得られる。
【００１６】
ここで、形態１１でいう記録媒体とは、ＲＡＭ、ＲＯＭ等の半導体記録媒体、ＦＤ、ＨＤ等の磁気記憶型記録媒体、ＣＤ、ＣＤＶ、ＬＤ、ＤＶＤ等の光学的読取方式記録媒体、ＭＯ等の磁気記録型／光学的読取方式記録媒体であって、電子的、磁気的、光学的等の読み取り方法のいかんにかかわらず、コンピュータで読み取り可能な記録媒体であれば、どのような記録媒体であってもよい。
【発明を実施するための最良の形態】
【００１７】
〔第１の実施形態〕
次に図面を参照して本発明の好適な実施の形態について説明する。
図１は、本発明を適用した第１の実施形態に係る放送受信装置１の概要構成を示すブロック図である。
放送受信装置１は、地上デジタルテレビジョン放送等のテレビジョン放送の受信に適したアンテナ１１を備えている。このアンテナ１１は、放送受信装置１の外部に設置され、或いは放送受信装置１に内蔵されたアンテナである。放送受信装置１は、アンテナ１１を介して地上デジタルテレビジョン放送を受信して、受信したチャンネルの映像および音声を出力する装置である。
【００１８】
放送受信装置１は、アンテナ１１を介して地上デジタルテレビジョン放送を受信する第１チューナ部としての主チューナ部１２と、主チューナ部１２により受信された放送信号のスクランブルを解除するデスクランブル部１３と、デスクランブル部１３によりスクランブルが解除された放送信号をデコードして映像ストリームおよび音声ストリームを出力する第１映像生成手段としての主デコーダ部１４と、主デコーダ部１４から出力された映像ストリームから映像信号を生成する映像合成部１５と、映像合成部１５により生成された映像信号に基づいて表示部１７を駆動する映像出力部１６と、映像出力部１６によって駆動されて映像を表示する表示部１７と、主デコーダ部１４から出力された音声ストリームから音声信号を生成して、スピーカ１９を駆動する音声出力部１８と、音声出力部１８によって駆動されて音声を出力するスピーカ１９と、を備えている。
表示部１７は、ＣＲＴ（Cathode Ray Tube）、ＬＣＤ（液晶ディスプレイ）パネル、プラズマディスプレイパネル、ＳＥＤ（Surface-conduction Electron-emitter Display）パネルおよびＦＥＤ（Field Emission Display）パネル等の表示画面、或いは、リアプロジェクション表示装置や、放送受信装置１の外部に設置されたスクリーン等に向けて映像を投写するプロジェクタ等の投写型表示装置を含む表示装置である。ここで、放送受信装置１を、外部の上記表示装置に接続される構成として、表示部１７を、この外部の上記表示装置に対して映像信号を出力する出力インタフェースとしてもよい。表示部１７は、後述する主副同時表示画面５０、副映像拡大表示画面５５、主映像表示画面５６、副映像一覧表示画面５７等を表示する。
そして、本発明でいう表示画面とは、上記の各種パネルからなる表示画面の他、上記の投写型表示装置により映像が投写される投写面を含み、さらに、外部の表示装置における表示画面および投写面を含む。
【００１９】
また、放送受信装置１は、放送受信装置１の各部を制御するシステムコントローラ２１と、システムコントローラ２１により実行されるプログラムや、このプログラムに係るデータ等を記憶したメモリ２２とを備えている。
システムコントローラ２１は、メモリ２２に記憶された制御プログラムを読み込んで実行することにより、放送受信装置１の各部を制御する。具体的には、システムコントローラ２１は、主チューナ部１２および後述する副チューナ部３１−１〜Ｎに対する受信チャンネルの指定および受信状態の検出、主デコーダ部１４および後述する副デコーダ部３２−１〜Ｎに対するデコードの制御、音声出力部１８に対する音声出力状態の制御、ＯＳＤ制御部２５に対するＯＳＤ表示の制御、映像出力部１６に対する表示の開始および終了の制御並びに表示形態の制御等を実行する。
【００２０】
さらに、放送受信装置１は、Ｎ個（Ｎは１以上の整数）の第２チューナ部としての副チューナ部３１−１〜Ｎを備えている。副チューナ部３１−１〜Ｎは、アンテナ１１を介して地上デジタルテレビジョン放送を受信するものであり、特に、地上デジタルテレビジョン放送で１チャンネルに割り当てられる１３のセグメントのうち、携帯機器等向けの簡易放送として送信される１セグメントの放送信号を受信する１セグメント部分受信チューナ（いわゆるワンセグチューナ）である。
これに対し、主チューナ部１２は、地上デジタルテレビジョン放送で１チャンネルに割り当てられる１３のセグメントを受信可能なフルセグメント対応のチューナであって、例えば４セグメントを利用した通常画質（ＳＤＴＶ）の放送信号（いわゆる通常放送）や、１２セグメントを利用したハイビジョン画質（ＨＤＴＶ）の放送信号（いわゆるハイビジョン放送）を受信する。
地上デジタルテレビジョン放送では、一つのチャンネルに割り当てられる１３のセグメントのうち１２セグメントを用いて通常放送やハイビジョン放送を行うとともに、残りの一つのセグメントを使って上記の１セグメント簡易放送を行っている。ここで、一つのチャンネルにおける放送内容は一つに限られているので、１セグメント簡易放送では、同チャンネルの通常放送およびハイビジョン放送と同一の内容が放送されている（いわゆるサイマル放送）。このため、主チューナ部１２と副チューナ部３１−１〜Ｎによって同じチャンネルを選局した場合、受信される映像および音声は画質・音質の違いがあるものの、受信される放送の内容は同一である。
【００２１】
本発明では第１チューナ部（本実施形態の主チューナ部１２に相当）に比べ、第２チューナ部（本実施形態の副チューナ部３１−１〜Ｎに相当）が、低品質のものとされている。これは、第２チューナ部としての副チューナ部３１−１〜Ｎが、主チューナ部１２に比べて能力等が制限された簡易型のものであること等を指し、例えば、受信する周波数帯域幅が主チューナ部１２により小さいもの、放送の受信に係る処理能力が主チューナ部１２に比べて制限されたもの、処理可能な映像の形式が限られたもの等が挙げられる。このような第２チューナ部は、第１チューナ部に比べて小型で、低コストで実現可能なことから、複数の第２チューナ部を実装するためのスペースの確保が容易である点、およびコストが低い点で有利である。本実施形態では、第１チューナ部の一例として地上デジタルテレビジョン放送を受信可能な主チューナ部１２を挙げ、この第１チューナ部より低品質の第２チューナ部の一例として、地上デジタルテレビジョン放送用の１セグメント部分受信チューナである副チューナ部３１−１〜Ｎを挙げて説明する。
【００２２】
副チューナ部３１−１〜Ｎにより受信された放送信号は、それぞれ、第２映像生成手段としての副デコーダ部３２−１〜Ｎによってデコードされ、副デコーダ部３２−１〜Ｎのそれぞれから映像ストリームが映像合成部１５に出力される。
映像合成部１５は、主デコーダ部１４、および、副デコーダ部３２−１〜Ｎの各々から入力される映像ストリームの各々に対応する映像信号を生成して、映像出力部１６に出力する。映像出力部１６は、第３映像生成手段として機能し、映像合成部１５から入力される複数の映像信号をもとに、システムコントローラ２１により指定された表示形態に従って画面表示を行うべく、表示部１７を駆動する。
また、副デコーダ部３２−１〜Ｎは、図１中に破線で示すように、副チューナ部３１−１〜Ｎから入力される放送信号から音声ストリームを生成して音声出力部１８に出力する。この場合、音声出力部１８は、システムコントローラ２１の制御に従って、主デコーダ部１４および副デコーダ部３２−１〜Ｎからそれぞれ入力される音声ストリームのうち一つの音声ストリームを選択して、この音声ストリームをもとに音声信号を生成する。
【００２３】
主チューナ部１２、および、副チューナ部３１−１〜Ｎの各チューナ部は、システムコントローラ２１により指定されたチャンネルの放送を受信し、システムコントローラ２１からの指定に従って受信チャンネルを切り替える機能を有し、さらに、指定されたチャンネルの受信状態をシステムコントローラ２１に出力する。また、主デコーダ部１４および副デコーダ部３２−１〜Ｎの各デコーダ部は、システムコントローラ２１の制御に従って放送信号をデコードする。この制御において、システムコントローラ２１は、各デコーダ部に対してデコードに用いる鍵情報を送信する。
なお、放送受信装置１は、地上デジタルテレビジョン放送の限定受信システムに対応したＢ−ＣＡＳカードリーダ等を備えているが、ここでは図示しない。
【００２４】
また、放送受信装置１は、システムコントローラ２１の制御によりＯＳＤ（オンスクリーンディスプレイ）表示情報を生成するＯＳＤ制御部２５を備えている。ＯＳＤ制御部２５は、システムコントローラ２１の制御のもとにＯＳＤ表示情報を生成して映像合成部１５に出力し、映像合成部１５は、ＯＳＤ制御部２５から入力されるＯＳＤ表示情報に基づき、主デコーダ部１４および副デコーダ部３２−１〜Ｎから入力された映像ストリームに基づく映像に重畳してＯＳＤ表示を行うための映像信号を生成する。
【００２５】
放送受信装置１は、複数のキースイッチやボタン等の操作子を備えた操作部２３によって操作可能な構成となっており、操作部２３は、ユーザによって操作子が操作されると、この操作に応じた操作信号を生成してシステムコントローラ２１に出力する。
また、放送受信装置１はリモコン２によって操作可能な構成となっている。リモコン２は、図示しない複数のキースイッチやボタン等の操作子を備え、これら操作子の操作に応じて無線信号（例えば、赤外線信号）を送信する。放送受信装置１は、リモコン２から送信された無線信号を受信するリモコン受信部２４を備えている。リモコン受信部２４は、リモコン２から送信された無線信号を受信して、リモコン２における操作状態を示す操作信号を生成し、システムコントローラ２１に出力する。
システムコントローラ２１は、操作部２３やリモコン受信部２４から入力される操作信号に応じて、後述するように画面の切り替えに係る動作を行うことにより、表示制御手段、チューナ制御手段、および選択手段として機能する。
【００２６】
図２は、放送受信装置１によって表示される画面の一形態として、主副同時表示画面５０の構成例を示す図である。
主副同時表示画面５０は、画面を左右の表示領域に分割した構成を有する。左側の部分に、主チューナ部１２が受信中のチャンネルの映像を主映像として表示する主映像表示部５１が配置されている。
また、画面右側の表示領域はさらに複数に分割され、個々の表示領域は、副チューナ部３１−１〜Ｎが受信するチャンネルの映像を副映像として表示する副映像表示部５２−１〜Ｎとなっている。この副映像表示部５２−１〜Ｎの表示領域は主映像表示部５１よりも大幅に小さく、各々の副チューナ部３１−１〜Ｎが受信する放送の映像を一覧表示するための、いわゆるサムネイル表示の形態となっている。
図２の例では、画面右側の表示領域が８分割されて副映像表示部５２−１〜８が配置され、８個の副チューナ部３１−１〜８が受信するチャンネルを一覧できる形態となっている。このため、主副同時表示画面５０には、主チューナ部１２が受信するチャンネル２と、副チューナ部３１−１〜８が受信するチャンネル１、３〜９の映像が一覧表示されている。
【００２７】
主副同時表示画面５０が表示された状態で、操作部２３またはリモコン２の操作により、副映像表示部５２−１〜８のうち一つの副映像表示部５２−ｐ（ｐは１以上Ｎ以下の整数）が選択されると、放送受信装置１は、選択された副映像表示部５２−ｐに表示中の映像を拡大表示する。
図２の例では、副映像表示部５２−２が選択されているので、副映像表示部５２−２に表示中の映像、すなわち副チューナ部３１−２が受信するチャンネル３の映像が、全画面に拡大表示される。
【００２８】
図３は、放送受信装置１により表示される画面の遷移の例を示す図であり、図３（Ａ）は副映像拡大表示画面５５の構成例を示し、図３（Ｂ）は主映像表示画面５６の構成例を示す。
主副同時表示画面５０の表示中に、副映像表示部５２−１〜８のうち副映像表示部５２−２が選択されると、放送受信装置１は、選択された副映像表示部５２−２に表示中のチャンネル３の映像を全画面に拡大表示する。
この過程で、放送受信装置１は、副映像表示部５２−２に表示中の映像、すなわち副チューナ部３１−２によって受信中のチャンネルの映像を全画面に拡大した副映像拡大表示画面５５（図３（Ａ））を表示部１７によって表示する。
ここで、放送受信装置１は、副映像拡大表示画面５５の表示を開始するとともに、主チューナ部１２の受信チャンネルを、副チューナ部３１−２の受信チャンネルと同じチャンネル３に切り替える。そして、チャンネルの切り替えが完了した後、放送受信装置１は表示部１７による表示を図３（Ｂ）に示す主映像表示画面５６に切り替えて、主チューナ部１２によって受信中のチャンネル３の映像を全画面に表示する。
【００２９】
上述のように、副チューナ部３１−１〜Ｎによって受信される放送信号は携帯機器等向けの簡易的な放送であるから、主チューナ部１２により受信される通常放送やハイビジョン放送と比較して解像度や精細度の面で劣っている。この映像は、副映像表示部５２−１〜Ｎでサムネイル表示する程度の表示サイズに適しており、主映像表示部５１や副映像拡大表示画面５５に表示する場合は、本来適した表示サイズを超えるサイズに拡大することとなる。
一方、主チューナ部１２によって受信する通常放送やハイビジョン放送の映像であれば、比較的大きな表示領域に表示しても良好な画質が得られる。しかしながら、デジタル放送の受信処理に特有の遅延に起因して、主チューナ部１２の受信チャンネルを切り替える処理には時間がかかる。すなわち、主チューナ部１２に対して受信するチャンネルが指定されてから、主チューナ部１２が指定されたチャンネルの信号を安定して出力できるようになるまでの動作（いわゆる選局動作）には、無視できない時間がかかる。
このため、主副同時表示画面５０（図２）から直接、主映像表示画面５６（図３（Ｂ））へ画面を切り替えると、主チューナ部１２の受信チャンネルの切り替え処理（選局動作）が完了するまでの間、画面表示の欠落や乱れが生じるおそれがある。
この点に鑑み、放送受信装置１は、視聴中のユーザの不快感や違和感を解消して、画面切り替えを行う際にも快適に視聴できるよう、主副同時表示画面５０から副映像拡大表示画面５５を経て主映像表示画面５６に画面を切り替える動作を行う。
主副同時表示画面５０から副映像拡大表示画面５５への切り替えは、副チューナ部３１−ｐが受信するチャンネルの映像を拡大するだけで済む。このため、映像出力部１６によって映像の表示形態を変更する処理だけで済み、副チューナ部３１−ｐおよび副デコーダ部３２−ｐの動作は変化しないので、映像の欠落等を生じることなく速やかに切り替えることができる。
【００３０】
以下、画面の切り替えに関する放送受信装置１の動作について説明する。
図４は、放送受信装置１の動作を示すフローチャートである。
操作部２３またはリモコン２の操作によって、主副同時表示画面５０にサムネイル表示された副映像表示部５２−１〜Ｎのうちの一つ、副映像表示部５２−ｐが選択されると（ステップＳ１１）、システムコントローラ２１は映像出力部１６を制御して、選択された副映像表示部５２−ｐに対応する副チューナ部３１−ｐが受信するチャンネルの映像、すなわち副デコーダ部３２−ｐから入力される映像を、全画面に拡大させることにより、副映像拡大表示画面５５を表示させる（ステップＳ１２）。
この画面の切り替えとともに、システムコントローラ２１は、主チューナ部１２の選局を開始する（ステップＳ１３）。この選局は、主チューナ部１２の受信チャンネルを、副チューナ部３１−ｐの受信チャンネルと同じチャンネルに切り替える処理である。
そして、システムコントローラ２１は、主チューナ部１２における受信状態を検出し、主チューナ部１２の選局に係る処理が終了したか否かを判別する（ステップＳ１４）。
システムコントローラ２１は、主チューナ部１２の選局に係る処理が終了するまでの間、すなわち切り替え後のチャンネルの受信状態が良好になるまでの間、副映像拡大表示画面５５の表示を継続させ（ステップＳ１４；Ｎｏ）、処理が完了して良好な映像を出力可能になった後（ステップＳ１４；Ｙｅｓ）、映像出力部１６を制御して、表示部１７により表示する画面を主映像表示画面５６に切り替えさせる（ステップＳ１５）。
【００３１】
このように、本第１の実施形態に係る放送受信装置１によれば、主チューナ部１２によって受信中のチャンネルの映像と、Ｎ個の副チューナ部３１−１〜Ｎによって受信中のチャンネルの映像とを主副同時表示画面５０に一覧表示した状態で、副チューナ部３１−１〜Ｎのいずれかに対応する映像が選択された場合に、主チューナ部１２の受信チャンネルを、選択されたチャンネルと同じチャンネルに切り替える。そして、放送受信装置１は、主チューナ部１２が受信するチャンネルの映像が全画面に配置された主映像表示画面５６を、表示部１７によって表示する。
【００３２】
この主チューナ部１２の受信チャンネルの切り替え中、放送受信装置１は、選択された副映像表示部５２−ｐの映像を拡大して副映像拡大表示画面５５を表示し、主チューナ部１２の受信チャンネル切り替えが完了してから、画面を主映像表示画面５６に切り替える。これにより、主チューナ部１２の受信チャンネルの切り替えに時間がかかる場合であっても、選択された映像を速やかに拡大表示することができ、さらに、映像の乱れや欠落を生じないので、映像を視聴するユーザの違和感や不快感を防ぐことができる。
また、副映像表示部５２−１〜Ｎのうち選択された映像が表示可能領域のほぼ全域に拡大表示され、その後、主チューナ部１２の選局動作が完了した後は主チューナ部１２が受信する放送の映像が表示可能領域のほぼ全域に表示されるので、ユーザが求める映像を速やかにほぼ全画面に表示できる。
【００３３】
加えて、副チューナ部３１−１〜Ｎが地上デジタルテレビジョン放送の１セグメント部分受信サービスに対応しているので、例えば電子番組表（Electronic Program Guide）を利用することが受信する放送番組の名称やジャンル名等の受信中の放送に関する各種情報を、主映像表示部５１、副映像表示部５２−１〜８、副映像拡大表示画面５５、主映像表示画面５６等に映像とともに表示することが可能になる。これにより、さらなる利便性の向上を図ることができる。
【００３４】
なお、上記第１の実施形態において、システムコントローラ２１は、映像出力部１６を制御して表示部１７に表示する画面を切り替える際に、音声出力部１８を制御して、出力中の音声を切り替えることも可能である。この場合、システムコントローラ２１は、副チューナ部３１−ｐが受信するチャンネルの映像を全画面表示する場合には、副チューナ部３１−ｐが受信するチャンネルの音声を出力させ、主チューナ部１２が受信するチャンネルの映像を全画面表示する場合には、主チューナ部１２によって受信中のチャンネルの音声を出力させればよい。さらに、主映像表示部５１とともに、副映像表示部５２−１〜Ｎが一覧表示された主副同時表示画面５０の表示中は、主映像表示部５１に対応する音声を出力させ、一つの副映像表示部５２−ｐが選択された際に、出力音声を、選択された副映像表示部５２−ｐに対応する音声に切り替えさせてもよい。
また、表示部１７が表示する画面の切り替えは、上記第１の実施形態で説明した形態に限らず、例えば、主副同時表示画面５０において主映像表示部５１と副映像表示部５２−１〜Ｎとに表示する映像を切り替えるようにしてもよい。以下、この場合について第２の実施形態として説明する。
【００３５】
〔第２の実施形態〕
本第２の実施形態では、図２に例示した主副同時表示画面５０の表示中に副映像表示部５２−１〜Ｎのいずれか一つ（以下、副映像表示部５２−ｐとする）が選択された場合に、選択された副映像表示部５２−ｐの映像を、主映像表示部５１に表示する例について説明する。
図５は、本発明を適用した第２の実施形態において、放送受信装置１により表示される画面の遷移の一例を示す図であり、図５（Ａ）、図５（Ｂ）、図５（Ｃ）の順に画面が遷移する。
図２の主副同時表示画面５０において、副映像表示部５２−１〜Ｎのうち一つ（図２の例では副映像表示部５２−２）が選択されると、図５（Ａ）に示すように、副映像表示部５２−２に表示されているチャンネル３の映像が主映像表示部５１に拡大表示される。
この図５（Ａ）に示す主副同時表示画面５０への表示切り替えに伴って、主チューナ部１２の受信チャンネルが、副映像表示部５２−２に対応する副チューナ部３１−３の受信チャンネルと同じチャンネルに切り替えられる。この切り替えが完了した後に、主副同時表示画面５０の表示が図５（Ｂ）に示すように切り替えられる。図５（Ｂ）の主副同時表示画面５０では、主チューナ部１２が受信するチャンネル３の映像が主映像表示部５１に表示されている。
【００３６】
ここで、主チューナ部１２の受信チャンネルが切り替わった後は、副映像表示部５２−２に対応する副チューナ部３１−２と、主チューナ部１２とが、同じチャンネル３を受信することになる。すなわち、主チューナ部１２によって以前に受信されていたチャンネル（チャンネル２）を受信するチューナ部はなく、チャンネル２の映像は主副同時表示画面５０において表示されなくなる。
そこで、放送受信装置１は、図５（Ｂ）に示す主副同時表示画面５０において、副映像表示部５２−２にも、主チューナ部１２が受信するチャンネル３の映像を縮小表示する。さらに、放送受信装置１は、副映像表示部５２−２に対応する副チューナ部３１−２の受信チャンネルを、切り替え前の主チューナ部１２の受信チャンネルであるチャンネル２に切り替える。そして、副チューナ部３１−２の受信チャンネルの切り替えが完了した後、放送受信装置１は、副映像表示部５２−２の映像を切り替える。すなわち、図５（Ｃ）に示すように、副映像表示部５２−２に、副チューナ部３１−２によって受信中のチャンネル２の映像を表示させる。
【００３７】
上記の画面の遷移に係る放送受信装置１の動作について、フローチャートを参照して説明する。
図６は、放送受信装置１の動作を示すフローチャートである。
操作部２３またはリモコン２の操作によって、主副同時表示画面５０にサムネイル表示された副映像表示部５２−１〜Ｎのうちの一つ、副映像表示部５２−ｐが選択されると（ステップＳ２１）、システムコントローラ２１は映像出力部１６を制御して、選択された副映像表示部５２−ｐに対応する副チューナ部３１−ｐが受信するチャンネルの映像を主映像表示部５１に拡大表示させる（ステップＳ２２）。
この表示の切り替えとともに、システムコントローラ２１は、主チューナ部１２の選局を開始する（ステップＳ３３）。この選局は、主チューナ部１２の受信チャンネルを、副チューナ部３１−ｐの受信チャンネルと同じチャンネルに切り替える処理である。
そして、システムコントローラ２１は、主チューナ部１２における受信状態を検出し、主チューナ部１２の選局に係る処理が終了したか否かを判別する（ステップＳ２４）。
システムコントローラ２１は、主チューナ部１２の選局に係る処理が終了するまでの間、すなわち切り替え後のチャンネルの受信状態が良好になるまでの間、表示を継続させ（ステップＳ２４；Ｎｏ）、処理が完了して良好な映像を出力可能になった後（ステップＳ２４；Ｙｅｓ）、映像出力部１６を制御して、主チューナ部１２が受信するチャンネルの映像を主映像表示部５１に表示させる（ステップＳ２５）。
【００３８】
さらに、システムコントローラ２１は、主チューナ部１２が受信するチャンネルの映像を、ステップＳ２１で選択された副映像表示部５２−ｐの位置に表示させ（ステップＳ２６）、この表示の切り替えとともに、副チューナ部３１−ｐの選局を開始する（ステップＳ２７）。この選局は、副チューナ部３１−ｐの受信チャンネルを、ステップＳ２３の切り替え前に主チューナ部１２が受信していたチャンネルと同じチャンネルに切り替える処理である。
そして、システムコントローラ２１は、副チューナ部３１−ｐにおける受信状態を検出し、副チューナ部３１−ｐの選局に係る処理が終了したか否かを判別する（ステップＳ２８）。
システムコントローラ２１は、副チューナ部３１−ｐの選局に係る処理が終了するまでの間、すなわち切り替え後のチャンネルの受信状態が良好になるまでの間、表示を継続し（ステップＳ２８；Ｎｏ）、処理が完了して良好な映像を出力可能になった後（ステップＳ２８；Ｙｅｓ）、副チューナ部３１−ｐが受信するチャンネルの映像を副映像表示部５２−ｐに表示させ（ステップＳ２９）、本処理を終了する。
【００３９】
このように、本第２の実施形態に係る放送受信装置１によれば、主副同時表示画面５０において副映像表示部５２−１〜Ｎのいずれかが選択された場合に、選択された映像を主映像表示部５１に表示する動作を行う。ここで、主チューナ部１２の受信チャンネルの切り替え中は、副チューナ部３１−ｐが受信するチャンネルの映像が主映像表示部５１に表示されるので、主チューナ部１２の受信チャンネルの切り替えに時間がかかる場合であっても、選択された映像を速やかに拡大表示することができ、さらに、映像の乱れや欠落を防止して、映像を視聴するユーザの違和感や不快感を防ぐことができる。
また、ユーザは、複数の副映像と主映像とが並ぶ主副同時表示画面５０を見ながら容易に選局を行うことができるとともに、選局を行った後も、副映像表示部５２−１〜Ｎを見ながら続けて選局を行えるという利点がある。
【００４０】
さらに、放送受信装置１は、主チューナ部１２の受信チャンネルを切り替えた後に、選択された副映像表示部５２−ｐに対応する副チューナ部３１−ｐの受信チャンネルを切り替える。これにより、主副同時表示画面５０には、放送受信装置１が備えるチューナ部によって受信可能な数のチャンネルの映像が一覧表示され、一つのチャンネルの映像が複数箇所に重複して表示されることがない。このため、主副同時表示画面５０の一覧性を確保し、高い利便性を保つことができる。
また、放送受信装置１は、選択された副映像表示部５２−ｐに対応する副チューナ部３１−ｐの受信チャンネルの切り替え中に、主チューナ部１２によって受信中のチャンネルの映像を副映像表示部５２−ｐに表示する。これにより、副チューナ部３１−ｐの受信チャンネルの切り替えに時間がかかる場合であっても、主副同時表示画面５０における映像の乱れや欠落を生じることがなく、映像を視聴するユーザの違和感や不快感を防ぐことができる。
【００４１】
放送受信装置１は、上記第１および第２の実施形態で説明した表示形態に限らず、最初に副チューナ部３１−１〜Ｎが受信するチャンネルの映像を一覧表示し、この状態で選択された映像を拡大表示する形態も実現可能である。以下、この場合について第３の実施形態として説明する。
【００４２】
〔第３の実施形態〕
図７は、本第３の実施形態において放送受信装置１により表示される副映像一覧表示画面５７の構成例を示す図である。
副映像一覧表示画面５７は、放送受信装置１が備える副チューナ部３１−１〜Ｎが受信するチャンネルの映像を、それぞれ副映像として表示する副映像表示部５８−１〜Ｎが並べて配された画面である。この副映像一覧表示画面５７が表示された状態で、操作部２３またはリモコン２の操作により、副映像表示部５２−１〜８のうち一つの副映像表示部５８−ｐが選択されると、放送受信装置１は、選択された副映像表示部５８−ｐに表示中の映像を拡大表示すべく、画面を副映像拡大表示画面５５（図３（Ａ））に切り替える。
図７の例では、副映像表示部５２−３が選択されているので、副映像表示部５８−３に表示中の映像、すなわち副チューナ部３１−３が受信するチャンネル３の映像が、副映像拡大表示画面５５で全画面に拡大表示される。
【００４３】
この過程で、放送受信装置１は、副映像表示部５８−３に対応する副デコーダ部３２−３から出力される映像信号を全画面に拡大して、図３（Ａ）に示す副映像拡大表示画面５５を表示部１７によって表示する。
ここで、放送受信装置１は、副映像拡大表示画面５５の表示開始とともに、主チューナ部１２の受信チャンネルを、副チューナ部３１−３の受信チャンネルと同じチャンネル３に切り替えする。
そして、主チューナ部１２の受信チャンネルの切り替えが完了した後、放送受信装置１は表示部１７による表示を図３（Ｂ）に示す主映像表示画面５６に切り替えて、主チューナ部１２によって受信中のチャンネル３の映像を全画面に表示する。
【００４４】
この第３の実施形態では、Ｎ個の副チューナ部３１−１〜Ｎによって受信中のチャンネルの映像を一覧表示した状態で、副チューナ部３１−１〜Ｎのいずれかに対応する映像が選択された場合に、主チューナ部１２の受信チャンネルを、選択された映像に対応する副チューナ部３１−ｐと同じチャンネルに切り替える。そして、放送受信装置１は、主チューナ部１２が受信するチャンネルの映像を表示する副映像拡大表示画面５５を、表示部１７によって表示する。
この主チューナ部１２の受信チャンネルの切り替え中、放送受信装置１は、選択された副映像表示部５２−ｐの映像を拡大表示する副映像拡大表示画面５５を表示し、主チューナ部１２の受信チャンネル切り替えが完了してから、画面を主映像表示画面５６に切り替える。これにより、上記第１の実施形態と同様に、主チューナ部１２の受信チャンネルの切り替えに時間がかかる場合であっても、選択された映像を速やかに拡大表示することができ、さらに、映像の乱れや欠落を生じないので、映像を視聴するユーザの違和感や不快感を防ぐことができる。
また、主チューナ部１２が受信中の放送の映像が表示されず、副映像表示部５２−１〜Ｎのみが並んだ画面を表示することで、限られた表示領域を選局のために有効に利用できる。
【００４５】
なお、上記第１から第３の実施形態においては、副チューナ部３１−１〜Ｎが受信中のチャンネルの映像を一覧表示した状態で、一つの映像が選択された場合に、この映像を大きく表示するよう画面を切り替える場合について説明した。この他に、例えば、一つの映像が選択された場合に、スピーカ１９から出力中の音声を、選択された映像に対応する音声に切り替える構成としてもよい。この場合、システムコントローラ２１は音声出力部１８を制御して、選択された映像に対応する副チューナ部３１−ｐによって受信中のチャンネルの音声をスピーカ１９から出力させればよい。そして、音声を切り替えた後に、再び同じ映像が選択された場合に、選択された映像に対応するチャンネルを主チューナ部１２によって受信し、その映像を大きな表示領域に表示するとともに、主チューナ部１２によって受信中の音声をスピーカ１９から出力してもよい。
さらに、上記第１から第３の実施形態では主チューナ部１２および副チューナ部３１−１〜Ｎは地上デジタルテレビジョン放送を受信するチューナとして説明したが、本発明はこれに限定されるものではなく、地上波アナログテレビジョン放送を受信するチューナであってもよいし、ＢＳ（Broadcasting Satellite）アナログテレビジョン放送、ＢＳデジタルテレビジョン放送、ＣＳ（Communication Satellite）デジタルテレビジョン放送等を受信するチューナであってもよい。また、主チューナ部１２および副チューナ部３１−１〜Ｎにより受信する放送の周波数帯、変調方式等についても特に制限なく本発明を適用可能である。ここで、放送信号がアナログ放送等であって、放送信号のデコードが必要ない場合には、主デコーダ部１４および副デコーダ部３２−１〜Ｎを用いないで映像および音声を出力すればよい。すなわち、主チューナ部１２および副チューナ部３１−１〜Ｎから映像合成部１５および音声出力部１８に対して直接信号を出力する構成としてもよい。
【００４６】
また、上記第１から第３の実施形態で説明した放送受信装置１は、具体的には、映像表示を行うことが可能な機器であればよく、放送受信装置１の機能を有する一つの独立した機器として、或いは、放送受信装置１の機能を具備するとともに他の機能をも備えた電子機器として実現可能である。具体的には、放送受信装置１または上記電子機器は、プロジェクタ、テレビ、パーソナルコンピュータ、ＰＤＡ、携帯型電話機等の各種機器を用いたシステムとして実現可能であり、或いはこれらの機器自体に実装できる。
また、以上の説明において、放送受信装置１は、アンテナ１１により受信した放送信号のスクランブル解除やデコードを行って、映像信号および音声信号を生成するものとしたが、本発明はこれに限定されるものではなく、例えば、アンテナ１１に代えて通信インタフェースとしてのネットワークインタフェースを設け、このネットワークインタフェースからネットワーク（例えば、インターネット）を介して、映像ストリームと音声ストリームとを含む情報、すなわちネットワーク放送の情報を受信する構成としてもよい。
【００４７】
また、以上の説明においては、放送受信装置１の機能を実現するためのプログラムがメモリ２２に記憶されている場合について述べたが、この制御プログラムをＲＡＭ、ＲＯＭ等の半導体記録媒体、ＦＤ、ＨＤ等の磁気記憶型記録媒体、ＣＤ、ＣＤＶ、ＬＤ、ＤＶＤ等の光学的読取方式記録媒体、ＭＯ等の磁気記録型／光学的読取方式記録媒体に記録することが可能であり、この記録媒体は、電子的、磁気的、光学的等の読み取り方法のいかんにかかわらず、コンピュータで読み取り可能な記録媒体であれば、どのような記録媒体であってもよい。そして、これらの記録媒体に記録された制御プログラムをシステムコントローラ２１によって読み取って実行することにより、さらに、放送受信装置１において、通信インタフェースとしてのネットワークインタフェースを設け、このネットワークインタフェースからネットワークを介して制御プログラムをダウンロードして実行することにより、上述した機能を実現する構成としてもよい。
【００４８】
また、図１に示した構成は、主としてハードウェア構成により、或いはハードウェアとソフトウェアとの協働により実現されるものであり、放送受信装置１を構成する各部の具体的形態や物理的態様については任意である。その他、放送受信装置１を構成する各部の具体的な細部構成については、本発明の趣旨を逸脱しない範囲において、任意に変更可能である。
【図面の簡単な説明】
【００４９】
【図１】第１の実施形態に係る放送受信装置の概要構成を示すブロック図である。
【図２】放送受信装置により表示される主副同時表示画面の例を示す図である。
【図３】放送受信装置により表示される画面の遷移の例を示す図である。
【図４】放送受信装置の動作を示すフローチャートである。
【図５】第２の実施形態で表示される画面の遷移の例を示す図である。
【図６】第２の実施形態に係る放送受信装置の動作を示すフローチャートである。
【図７】第３の実施形態で表示される副映像一覧表示画面の例を示す図である。
【符号の説明】
【００５０】
１…放送受信装置（電子機器）、２…リモコン、１１…アンテナ、１２…主チューナ部（第１チューナ部）、１３…デスクランブル部、１４…主デコーダ部（第１映像生成手段）、１５…映像合成部、１６…映像出力部（第３映像生成手段）、１７…表示部、１８…音声出力部、１９…スピーカ、２１…システムコントローラ（表示制御手段、選択手段、チューナ制御手段）、２２…メモリ、２３…操作部、２４…リモコン受信部、２５…ＯＳＤ制御部、３１−１〜Ｎ…副チューナ部（第２チューナ部）、３２−１〜Ｎ…副デコーダ部（第２映像生成手段）、５０…主副同時表示画面、５５…副映像拡大表示画面、５６…主映像表示画面、５７…副映像一覧表示画面。
【図１】
2008182403.tif 000003
【図２】
2008182403.tif 000004
【図３】
2008182403.tif 000005
【図４】
2008182403.tif 000006
【図５】
2008182403.tif 000007
【図６】
2008182403.tif 000008
【図７】
2008182403.tif 000009